(57)【要約】      （修正有）【課題】ベースとの接続及び切断が容易な流体コネクタを提供する。【解決手段】注入セットで使用する流体コネクタ１００は、ハウジング１０６の近位内部表面と一体であり、そこから遠位側に延びるカニューレを有するハウジングを含む。ハウジングの近位外面は、カニューレの長手方向軸１１２を中心とする触覚特徴部１１０を備えた部分を有し、使用者が流体コネクタを注入セットベースに接続するのを支援する。【選択図】図５
2020081898.tif 000002
【特許請求の範囲】
【請求項１】
注入セットで使用する流体コネクタであって、
ハウジングの近位内部表面と一体であり、そこから遠位側に延びるカニューレを有するハウジングと、
ハウジングの近位外面は、カニューレの長手方向軸を中心とする触覚特徴部を備えた部分を有し、使用者が流体コネクタを注入セットベースに接続するのを支援することを特徴とする流体コネクタ。
【請求項２】
前記触覚特徴部は、前記カニューレの長手方向軸を中心とする三角形に配置された３つの隆起を含むことを特徴とする請求項１に記載の流体コネクタ。
【請求項３】
前記触覚特徴部は、前記カニューレの長手方向軸を中心とするリングを備えることを特徴とする請求項１に記載の流体コネクタ。
【請求項４】
前記触覚特徴部は、前記カニューレの長手方向軸を中心とする複数の同心リングを含むことを特徴とする請求項１に記載の流体コネクタ。
【請求項５】
前記触覚特徴部は、前記カニューレの長手方向軸を中心とする交差を含むことを特徴とする請求項１に記載の流体コネクタ。
【請求項６】
前記触覚特徴部は、前記カニューレの長手方向軸を中心とするＸ字形状を含むことを特徴とする請求項１に記載の流体コネクタ。
【請求項７】
前記触覚特徴部は、前記カニューレの長手方向軸を中心とする十字線を含むことを特徴とする請求項１に記載の流体コネクタ。
【請求項８】
前記触覚特徴部は、前記カニューレの長手方向軸を中心とする複数の線形リブを備えることを特徴とする請求項１に記載の流体コネクタ。
【請求項９】
前記触覚特徴部は、前記カニューレの長手方向軸を中心とする複数の弓状リブを備えることを特徴とする請求項１に記載の流体コネクタ。
【請求項１０】
請求項１に記載の流体コネクタであって、
前記ハウジングが、
前記カニューレを含む流路部分と、
前記流路部分に固定され、一対の変位可能なアームを有するラッチ部分と、
を備え、
それぞれの前記アームは、前記アームの一方の片持ち端に配置されたコネクタラッチと、前記アームの他方の片持ち端に配置された作動レバーとを含み、
前記作動レバーの近位部分は、ユーザの握りからの前記流体コネクタの遠位滑りを防ぐための横方向の触覚特徴部を含むことを特徴とする流体コネクタ。
【請求項１１】
前記作動レバーの最後方は、ユーザの握りからの前記流体コネクタの前方への滑りを防ぐための第２の横方向の触覚特徴部を含むことを特徴とする請求項１０に記載の流体コネクタ。
【請求項１２】
注入セットで使用するための２部品の流体コネクタであって、
流路部分の近位内部表面と一体であり、そこから延びるカニューレを含む流路部分と、
前記流路部分に固定され、一対の変位可能なアームを有するラッチ部分と、
を備え、
それぞれの前記アームは、前記アームの一方の片持ち端に配置されたコネクタラッチと、前記アームの他方の片持ち端に配置された作動レバーとを含み、
前記作動レバーの近位部分は、ユーザの握りからの前記流体コネクタの遠位滑りを防ぐための横方向の触覚特徴部を含むことを特徴とする流体コネクタ。
【請求項１３】
前記横方向の触覚特徴部は、複数の横方向への片持ち支柱を含むことを特徴とする請求項１２に記載の流体コネクタ。
【請求項１４】
前記横方向への片持ち支柱は、実質的に長方形状であることを特徴とする請求項１３に記載の流体コネクタ。
【請求項１５】
前記横方向への片持ち支柱は、実質的に円筒形状であることを特徴とする請求項１３に記載の流体コネクタ。
【請求項１６】
前記横方向への片持ち支柱は、横方向に片持ちされた多角形を含むことを特徴とする請求項１３に記載の流体コネクタ。
【請求項１７】
注入セットで使用するための２部品の流体コネクタであって、
流路部分の近位内部表面と一体であり、そこから延びるカニューレを含む流路部分と、
前記流路部分に固定され、一対の変位可能なアームを有するラッチ部分と、
を備え、
それぞれの前記アームは、前記アームの前方の片持ち端に配置されたコネクタラッチと、前記アームの後方の片持ち端に配置された作動レバーとを含み、
前記作動レバーの最後方は、ユーザの握りからの前記流体コネクタの前方への滑りを防ぐための横方向の触覚特徴部を含むことを特徴とする流体コネクタ。
【請求項１８】
前記横方向の触覚特徴部は、垂直リッジを備える、請求項１７に記載の流体コネクタ。
【発明の詳細な説明】
【技術分野】
【０００１】
関連出願の相互参照
本願は、２０１８年１１月３０日に出願された米国仮出願第６２/７７３，６６２号に基づく優先権を主張するものである。その開示は、その全体が参照により本明細書に組み込まれる。
【０００２】
本発明は、一般の注入装置に関し、より詳細には、インスリン及び他の薬剤の皮下注入において注入ポンプとともに使用される注入装置に関する。
【背景技術】
【０００３】
インスリン注入処置の１つのモードには、カテーテル、針、又は他のタイプのカニューレを介した注入ポンプ療法が含まれる。注入ポンプは、インスリンの連続注入、正確な投与、及び、プログラム可能な送達スケジュールの利点を提供する。同時に、これらの利点により、血糖コントロールがより正確になる。インスリン注入処置のこのモードでは、注入ポンプはユーザに取り付けられたままであり、必要な用量のインスリンがポンプを介してユーザに送達される。
【０００４】
カニューレの１つのタイプはカテーテルであり、これは一般に、流体の投与を可能にするために体内に挿入できるチューブである。注入ポンプ療法では、カテーテルの種類とサイズは異なる場合があるが、一般に、カテーテルは細い柔軟なチューブである。ただし、用途によっては、サイズが大きい、及び／又は、硬い場合がある。柔らかいプラスチック製のカテーテルの代わりに、硬い中空の金属針を使用することもできる。
【０００５】
従来の注入セットの１つのタイプは、ＭｅｄｔｒｏｎｉｃによりＱｕｉｃｋ−Ｓｅｔ（登録商標）注入セットとして販売されている。そのような装置では、注入ポンプは、チューブセットを介してポンプに接続されたカテーテルアセンブリを含み、別の挿入装置は、注入セットの一部として設けられた導入針を介してカテーテルアセンブリをユーザに挿入及び/又は取り付ける。Ｍｅｄｔｒｏｎｉｃが販売するＭｉｏ（登録商標）注入セットのように、注入セットと挿入デバイスを組み合わせることもできる。Ｍｉｏ（登録商標）注入セットは、注入セットと挿入デバイスを１つのユニットに結合する「オールインワン」デザインです。
【０００６】
「パッチポンプ」として知られる別のタイプのインスリン注入装置が最近利用可能になった。従来の注入ポンプとは異なり、パッチポンプは、注入部位に接着剤で取り付けられた単一のハウジングに、ほとんど又は全ての流体成分を組み合わせた統合デバイスであり、個別の注入（チューブ）セットを使用する必要はない。パッチポンプは皮膚に付着し、インスリン（又は他の薬物）を含み、経皮的に、又は統合された皮下のミニカテーテルを介して、一定期間にわたって薬物を送達する。一部のパッチポンプは、個別のコントローラーデバイスとワイヤレスで通信し（ブランド名ＯｍｎｉＰｏｄ（登録商標）で販売されているものなど）、他のものは、完全に自己完結型である。
【０００７】
従来の注入装置は、ユーザの皮膚に固定することができるベースに解放可能に取り付けることができる流体コネクタを含むことができる。注入ポンプは、流体コネクタ及び／又はベースの係合を介してカテーテルに流体を供給する。
【０００８】
しかしながら、そのような装置では、使用者の皮膚からカテーテルを引っ張らずにチューブを外すのに必要な力と、毎日の注入のために注入コンポーネントを固定するのに十分な保持力のバランスを取ることが難しいという懸念がある。もう1つの懸念は、ユーザが誤って外部構造（ドアノブなど）の延長チューブを引っ掛けた場合、ユーザの皮膚からカテーテルを取り外すことなく延長チューブが流体コネクタから外れるように分離力を設計する必要がある。したがって、患者が新しい注入セットを入手して接続し、再挿入する必要がなくなる。さらに別の懸念は、触覚が低下している多くの患者が、流体コネクタをベースに適切かつ確実に接続及び切断する能力についてである。
【先行技術文献】
【特許文献】
【０００９】
【特許文献１】国際公開第２０１３／０８６４６３号
【発明の概要】
【発明が解決しようとする課題】
【００１０】
したがって、本発明の一態様は、ベースとの接続及び切断が容易な流体コネクタを提供することである。
【００１１】
本発明の前述及び／又は他の態様は、注入セットで使用する流体コネクタを提供することにより達成される。流体コネクタは、ハウジングの近位内部表面と一体であり、そこから遠位側に延びるカニューレを有するハウジングを含む。ハウジングの近位外面は、カニューレの長手方向軸を中心とする触覚特徴部を備えた部分を有し、使用者が流体コネクタを注入セットベースに接続するのを支援する。
【００１２】
本発明の前述及び／又は他の態様はまた、注入セットで使用するための２部品の流体コネクタを提供することにより達成される。流体コネクタは、流路部分の近位内部表面と一体であり、そこから延びるカニューレを含む流路部分を含む。流体コネクタは、流路部分に固定され、一対の変位可能なアームを有するラッチ部分も含む。各変位可能なアームは、アームの一方の片持ち端に配置されたコネクタラッチと、アームの他方の片持ち端に配置された作動レバーを含む。作動レバーの近位部分には、ユーザの握りからの流体コネクタの遠位滑りを防ぐための横方向の触覚特徴部が含まれる。
【００１３】
本発明の前述及び／又は他の態様は、注入セットで使用するための２部品の流体コネクタを提供することによっても達成される。流体コネクタは、流路部分の近位内部表面と一体であり、そこから延びるカニューレを含む流路部分を含む。流体コネクタは、流路部分に固定され、一対の変位可能なアームを有するラッチ部分も含む。各変位可能アームは、アームの一方の片持ち端に配置されたコネクタラッチと、アームの他方の片持ち端に配置された作動レバーを含む。作動レバーの最後方は、ユーザの握りからの流体コネクタの前方への滑りを防ぐための横方向の触覚特徴部が含まれる。
【００１４】
本発明の追加及び／又は他の態様及び利点は、以下の説明に記載されるか、その説明から明らかになるか、又は本発明の実施により習得することができる。
【図面の簡単な説明】
【００１５】
本発明の実施形態の前述の及び／又は他の態様及び利点は、添付の図面と併せて以下の詳細な説明からより容易に理解されるであろう。
【００１６】
【図１】図１は、従来技術における流体コネクタ及び関連するベースの図である。
【図２】図２は、従来技術における流体コネクタ及び関連するベースの図である。
【図３】図３は、従来技術における流体コネクタ及び関連するベースの図である。
【図４】図４は、従来技術における流体コネクタ及び関連するベースの図である。
【図５】図５は、本発明の実施形態におけるベースに接続された流体コネクタの側面図である。
【図６】図６は、図５の流体コネクタの上面図である。
【図７】図７は、図５の流体コネクタの流路部分の斜視図である。
【図８】図８は、本発明の別の実施形態による流体コネクタの斜視図である。
【図９】図９は、本発明の他の実施形態による流体コネクタの上面図である。
【図１０】図１０は、本発明の他の実施形態による流体コネクタの上面図である。
【図１１】図１１は、本発明の他の実施形態による流体コネクタの上面図である。
【図１２】図１２は、本発明の他の実施形態による流体コネクタの上面図である。
【図１３】図１３は、本発明の他の実施形態による流体コネクタの上面図である。
【図１４】図１４は、本発明の他の実施形態による流体コネクタの上面図である。
【図１５】図１５は、本発明の他の実施形態による流体コネクタの上面図である。
【図１６】図１６は、本発明の他の実施形態による流体コネクタの上面図である。
【図１７】図１７は、本発明の他の実施形態による流体コネクタの上面図である。
【図１８】図１８は、本発明の他の実施形態による流体コネクタの斜視図である。
【図１９】図１９は、本発明の他の実施形態による流体コネクタの斜視図である。
【図２０】図２０は、本発明の他の実施形態による流体コネクタの斜視図である。
【図２１】図２１は、本発明の別の実施形態による流体コネクタの上面図である。
【図２２】図２２は、本発明の別の実施形態による流体コネクタの斜視図である。
【図２３】図２３は、本発明の別の実施形態による流体コネクタの斜視図である。
【発明を実施するための形態】
【００１７】
ここで、添付図面に示されている本発明の実施形態を詳細に参照するが、全体を通して同様の参照番号は同様の要素を指す。本明細書で説明される実施形態は、図面を参照することにより本発明を例示するが、限定するものではない。
【００１８】
実施形態は、相互に排他的であることを意図していない。一実施形態の特徴は、互いに矛盾しない限り、他の実施形態と組み合わせることができる。
【００１９】
当業者は、本開示が、その適用において、以下の説明に記載されるか又は図面に示される構成の詳細及び構成要素の配置に限定されないことを理解するであろう。本明細書の実施形態は、他の実施形態が可能であり、様々な方法で実施又は実行することができる。本明細書で使用される語句及び用語は、説明を目的とするものであり、限定と見なされるべきではない。本明細書における「含む」、「含有する」又は「有する」及びそれらの変形の使用は、その後に列挙されるアイテム及びその同等物ならびに追加アイテムを包含することを意味する。他に制限されない限り、本明細書の「接続」、「結合」、及び「搭載」という用語及びその変形は広く使用され、直接及び間接の接続、結合、及び搭載を包含する。さらに、「接続された」及び「結合された」という用語及びその変形は、物理的又は機械的な接続又は結合に限定されない。さらに、「上」、「下」、「底面」、「上面」、「前方」、「後方」、「上側」、「下側」、「上方」、「下方」などの用語、及び他の方向記述子は、本発明の例示的な実施形態の説明を容易にすることを意図し、構造を限定することを意図しない。「実質的に」又は「およそ」などの程度の用語は、例えば、実施形態の製造、組み立て、及び使用に関連する一般的な公差を示し、所与の値を含む周辺、かつ、所与の値の外の合理的な範囲を示すと当業者に理解される。構造又は特性を指す場合の「実質的に」という用語には、ほとんど又は完全な特性が含まれる。
【００２０】
図１は、特許文献１に見られるような従来技術における２部品の流体コネクタ１０及び関連するベース８０の斜視図であり、この開示はその全体が参照により本明細書に組み込まれる。図２は、流体コネクタ１０の分解斜視図であり、図３は、流体コネクタ１０の底面図であり、図４は、ベース８０に接続された流体コネクタ１０の断面図である。コネクタ１０は、流路部分１２及びラッチ部分１４からなる２つの構成要素を含む。流路部分１２及びラッチ部分１４は共にハウジング１５を形成する。ラッチ部分１４は、作動レバー１６、流体コネクタラッチ１８、及び剛性停止部２０を含む。
【００２１】
作動レバー１６、流体コネクタラッチ１８、及び剛性停止部２０は、一体構造として一体的に形成されている。さらに、作動レバー１６は、それぞれの流体コネクタラッチ１８とともにアームを形成する。これらのアームは、流路部分１２に対して変位可能である。流体コネクタラッチ１８は、少なくとも一部が流路部分１２内に配置されるラッチ位置に変位可能である。さらに、アームは、ラッチ位置に向かって弾性的に付勢されている。
【００２２】
図１及び図４に最もよく示されているように、流体コネクタ１０の上面は、プロファイルを低減し、ユーザが着用した場合の潜在的な引っ掛かりを最小限に抑えるために丸くなっている。
【００２３】
流路部分１２は、流体コネクタ１０を配管と接続するためのチュービングコネクタ部分２２を含む。流路部分１２は、スナップ嵌め係合によりラッチ部分１４に固定することができる。
【００２４】
図１、図３及び４に示されるように、流路部分１２は、ハウジング１５の近位内面から遠位側に延びる鈍頭のカニューレ２２を有する。流体コネクタ１０を、ユーザの皮膚に挿入された患者カニューレ８４を付帯するベース８０に接続すると、鈍頭のカニューレ２２は、ベース８０のマッシュルーム形状のヘッド８２の隔壁８６を貫通して、ポンプをベース８０の遠位側の患者カニューレ８６と流体的に接続する。
【００２５】
好ましくは、ユーザは、遠位方向（すなわち真下）に押して流体コネクタ１０を対応するベース８０に取り付け、ベース８０のマッシュルーム形状のヘッド８２との接触により流体コネクタラッチ１８を外側に押し出し、マッシュルーム形状のヘッド８２を流体コネクタ１０が回避して、流体コネクタラッチ１８の内向きの弾性バイアスにより遠位側にラッチしたら、流体コネクタ１０を所定の位置にスナップする。
【００２６】
流体コネクタ１０をベース８０から解放するために、ユーザは、例えば、作動レバー１６が、剛性停止部２０に接触するまで圧迫する。この動作により、流体コネクタラッチ１８を半径方向の外側に十分に旋回及び変位させて、マッシュルーム形状のヘッド８２を通過させることにより、流体コネクタラッチ１８をベース８０のマッシュルーム形状のヘッド８２から外す。その後、ユーザは流体コネクタ１０をベース８０から近位側に持ち上げる。
【００２７】
作動レバー１６は、その上の中央に配置されたフィンガーバンプ(finger bumps)２４を有しており、ユーザが作動レバー１６を見つけて使用するのを助けることができる。
【００２８】
しかし、多くのユーザは、指の触覚特徴が低下している可能性があり、流体コネクタ１０のサイズが小さいと、ベース８０との接続が困難になる可能性がある。さらに、流体コネクタ１０の丸い表面では、流体コネクタを握るときに、ユーザの指が滑る可能性がある。さらに、市場にある多くの流体コネクタは、水平に（すなわち、実質的に皮膚表面に平行に）又は非垂直の角度でスライドすることによりベースに接続する。したがって、流体コネクタ１０とベース８０との垂直接続は、ユーザには馴染みがないかもしれない。流体コネクタ１０自体は、流体コネクタ１０をベース８０に接続する方法を示していない。さらに、丸い作動レバー１６上のフィンガーバンプ２４の中心位置は、潜在的にユーザの指の滑りをもたらす可能性がある。
【００２９】
図５は、本発明の実施形態におけるベース８０などのベースに接続された流体コネクタ１００の側面図である。図６は、流体コネクタ１００の上面図である。流路部分１０２及びラッチ部分１０４は共にハウジング１０６を形成する。ラッチ部分１０４は、流路部分１０２の斜視図である図７から省略されている。明示的には示されていないが、前述のハウジング１５のように、ハウジング１０６は、ハウジング１０６の近位内面から遠位側に延びる鈍頭のカニューレ１０５を有する。カニューレ１０５は、図５に示される長手方向軸１１２を有する。
【００３０】
図５乃至図７に示すように、流体コネクタ１０のような丸い上面ではなく、流路部分１０２の近位外面は、触覚特徴部(a tactile feature)１１０を有する部分１０８を有する。一実施形態によれば、部分１０８は、好ましくは上面平坦部分である。他の実施形態によれば、部分１０８は、凸形状又は凹形状である。一実施形態によれば、触覚特徴部１１０は、表面１０８から近位側に突出し、隆起する。好ましくは、触覚特徴部１１０は、カニューレ１０５の長手方向軸１１２を中心とする。このような触覚特徴部１１０は、カニューレの長手方向軸の位置を触覚的にユーザに知らせるので、流体コネクタ１００をベース８０に接続する際にユーザの助けとなる。したがって、流体コネクタ１０をベース８０の中心に置き、ベース８０との接続を行うために流体コネクタ１０を押し下げる位置をユーザに知らせる。
【００３１】
触覚特徴部１１０は、好ましくは隆起しているが、いくつかの実施形態によれば、触覚特徴部１１０は、窪んでもよい。さらに、触覚特徴部１１０が部分１０８から近位側に突出するように隆起したとしても、好ましくは、流体コネクタ１００の高さプロファイルは、少なくとも流体コネクタ１０の高さプロファイルよりも大きくない。そのような構成は、流体コネクタ１０と比較して引っ掛かりを減らすことができる。
【００３２】
一実施形態によれば、図５乃至図７に示されるように、触覚特徴部１１０は、カニューレの長手方向軸１１２を中心とする三角形に配置された３つの隆起である。図８では、触覚特徴部１１０は、カニューレの長手方向軸１１２を中心とする三角形に配置された３つの隆起でもあるが、三角形の向きは、図７の三角形の向きに対して反転している。
【００３３】
図９乃至１７は、本発明の他の実施形態による流体コネクタのそれぞれの上面図である。これらの実施形態のそれぞれにおいて、触覚特徴部は、カニューレの長手方向軸１１２を中心として置かれている。図９では、触覚特徴部１１０はリングであり、図１０では、触覚特徴部は複数の同心リングである。図１１では、触覚特徴部１１０は十字形状、又は、クロスした形状、又は、交差であり、図１２では、触覚特徴部１１０はＸ字形状である。図１３では、触覚特徴部１１０は十字線である。
【００３４】
図１４及び図１５に示されるように、触覚特徴部１１０は、複数の線形リブである。図１４では、線形リブは、ハウジング１０６の前方から後方へ延びるように方向付けられ、図１５では、線形リブは、横方向に延びるように方向付けられる。当業者は、本発明の範囲から逸脱することなく、線形リブの他の向きが可能であることを理解するであろう。
【００３５】
図１６及び図１７に示されるように、触覚特徴部１１０は、複数の弓状リブである。図１６では、弓状リブは同じ方向に向けられており、図１７では、弓状リブは異なる方向に向けられている。いくつかの実施形態では、図９乃至図１７の触覚特徴部１１０は隆起し、いくつかの実施形態では、図９乃至図１７の触覚特徴部は窪んでいる。
【００３６】
図１８に示すように、ラッチ部分１０４の作動レバー１１４は、作動レバー１１４の近位部分に配置された横方向の触覚特徴部１１６を含む。横方向の触覚特徴部１１６は、ユーザの握りからの流体コネクタ１００の遠位滑りを防止するのに役立つ。いくつかの実施形態では、横方向の触覚特徴部１１６は、作動レバー１１４の外面から窪んでいるが、横方向の触覚特徴部１１６は、隆起している（半径方向外側に延びる）ことが好ましい。また、横方向の触覚特徴部１１６は、特に、横方向の触覚特徴部が隆起している場合に、ユーザが流体コネクタをベース８０から持ち上げるのを助けることができる。一実施形態によれば、横方向の触覚特徴部１１６は、複数の横方向への片持ち支柱１１６である。一実施形態によれば、複数の横方向への片持ち支柱１１６は、図１８に示されているような複数の横方向に片持ちされた多角形を含む。別の実施形態（図示せず）によれば、複数の横方向への片持ち支柱１１６は、複数の横方向への片持ち長方形柱を含む。
【００３７】
図１９に示すように、横方向の触覚特徴部１１６は、複数の丸い隆起１１６を含むことができ、図２０に示すように、横方向の触覚特徴部１１６は、複数の片持ち円筒状支柱１１６を含むことができる。
【００３８】
図２１及び図２２には、それぞれの作動レバー１１４が、作動レバー１１４の最後方に配置された横方向の触覚特徴部１１８を含む実施形態を示す。一実施形態によれば、横方向の触覚特徴部１１８は、ユーザの握りからの流体コネクタ１００の前方への滑りを防ぐために、外側に突出する、又は隆起した垂直リッジ(a vertical ridge)１１８を含む。当業者は、本発明の範囲から逸脱することなく、垂直リッジ以外の形状を採用できることを理解するであろう。例えば、いくつかの実施形態は、窪んだ触覚特徴部１１８を含む。
【００３９】
図２１では、従来技術における流体コネクタ１０の作動レバー１６の非バイアス位置又は静止位置が、点線で示されている。図２１に見られるように、作動レバー１１４の非バイアス位置は、従来技術における作動レバー１６の非バイアス位置に対して外向きに広がっている。さらに、剛性停止部１２０は、従来技術における流体コネクタ１０の剛性停止部２０よりも横方向に広く、作動レバー１１４は、横方向内向きの突起部１２２を有する。幅の広い剛性停止部１２０及び横方向内向きの突起部１２２は、組み合わされて、作動レバーがおよそ平行である内向きへの圧迫位置か、又は平行をわずかに超えている解放位置を提供する。この新たな構成は、また、従来技術の作動レバー１６におけるＶ字形の解放位置と比較して、ユーザの握りからの流体コネクタ１００の前方への滑りを防ぐのに役立つ。
【００４０】
図２３に示すように、流体コネクタ１００は、流体コネクタの位置決めを支援し、ユーザの握りからの滑りを防止するための特徴の組み合わせを含むことができる。例えば、流体コネクタは、その上に配置された触覚特徴部１１０を備えた平坦部分１０８を含むことができ、作動レバー１１４は、横方向に片持ちされた多角形１１６及び垂直リッジ１１８を含むことができる。いくつかの実施形態において、触覚特徴部１１０，１１４，１１６のいくつか又は全てが窪んでいる。さらに、静止時には、作動レバー１１４は、従来技術の作動レバー１６と比較して、横方向外側に広がることができる。さらに、いくつかの実施形態では、部分１０８は、凹形状又は凸形状であり得る。当業者は、本発明の範囲から逸脱することなく、特徴の他の組み合わせを使用できることを理解するであろう。
【００４１】
本発明のいくつかの実施形態のみを示して説明したが、本発明は、説明した実施形態に限定されない。本発明の範囲から逸脱することなく、開示された実施形態に他の変更を加えることもできることを当業者は理解するであろう。さらに、実施形態、特徴、及び/又は要素が互いに矛盾しない限り、本明細書に開示される実施形態、特徴、及び/又は要素のいずれかを互いに組み合わせて、具体的に開示されていない様々な追加の組み合わせを形成してもよい。そのような変更及び組み合わせは全て、添付の特許請求の範囲及びそれらの同等物によって定義される本発明の範囲内にあるとみなされる。
【図１】
2020081898.tif 000003
【図２】
2020081898.tif 000004
【図３】
2020081898.tif 000005
【図４】
2020081898.tif 000006
【図５】
2020081898.tif 000007
【図６】
2020081898.tif 000008
【図７】
2020081898.tif 000009
【図８】
2020081898.tif 000010
【図９】
2020081898.tif 000011
【図１０】
2020081898.tif 000012
【図１１】
2020081898.tif 000013
【図１２】
2020081898.tif 000014
【図１３】
2020081898.tif 000015
【図１４】
2020081898.tif 000016
【図１５】
2020081898.tif 000017
【図１６】
2020081898.tif 000018
【図１７】
2020081898.tif 000019
【図１８】
2020081898.tif 000020
【図１９】
2020081898.tif 000021
【図２０】
2020081898.tif 000022
【図２１】
2020081898.tif 000023
【図２２】
2020081898.tif 000024
【図２３】
2020081898.tif 000025
【外国語明細書】
2020081898000001.pdf